(57)【要約】【課題】本願が解決しようとする課題は、発振周波数の誤差テーブルを高精度にすることにある。【解決手段】本願は、発振器の温度を測定し、ＧＰＳ（Global Positioning System）による測位を行った後に、前記発振器の発振周波数の誤差を測定して、前記測定した温度と誤差とを対応付けた誤差テーブルを作成して記憶させることを特徴とする。【選択図】図１
2012058115.tif 000002
【特許請求の範囲】
【請求項１】
発振器の温度を測定する温度測定手段と、
ＧＰＳ（Global Positioning System）による測位を行った後に、前記発振器の発振周波数の誤差を測定して、前記測定した温度と誤差とを対応付けた誤差テーブルを作成して記憶させる管理手段と
を有することを特徴とする管理装置。
【請求項２】
前記管理手段は、前記測位において、ＧＰＳに関する情報の取得が成功できなかった場合、ＧＰＳによる測位に不必要なデバイスを停止させた後に前記ＧＰＳによる測位を行うことを特徴とする請求項１に記載の管理装置。
【請求項３】
前記管理手段は、前記測位において、ＧＰＳに関する情報の取得時間に応じて、発振周波数の誤差を測定するか否かを決定することを特徴とする請求項１又は請求項２に記載の管理装置。
【請求項４】
前記管理手段は、前記取得時間をＧＰＳによる測位に必要なパラメータを保持しているか否かに応じて設定することを特徴とする請求項３に記載の管理装置。
【請求項５】
前記管理手段は、前記誤差テーブルの誤差の情報が対応付けられていない温度に対して、近似する温度に対応付けられている誤差の情報を用いて誤差を算出することを特徴とする請求項１から請求項４のいずれかに記載の管理装置。
【請求項６】
前記管理手段は、前記測位の環境の変化を監視し、変化が無い場合は測位を行わないことを特徴とする請求項１から請求項５のいずれかに記載の管理装置。
【請求項７】
発振器の温度を測定する温度測定ステップと、
ＧＰＳ（Global Positioning System）による測位を行った後に、前記発振器の発振周波数の誤差を測定する誤差測定ステップと、
前記測定した温度と誤差とを対応付けた誤差テーブルを作成して記憶させる管理ステップと
を有することを特徴とする管理方法。
【請求項８】
管理装置のプログラムであって、前記プログラムは前記管理装置に、
発振器の温度を測定する温度測定処理と、
ＧＰＳ（Global Positioning System）による測位を行った後に、前記発振器の発振周波数の誤差を測定する誤差測定処理と、
前記測定した温度と誤差とを対応付けた誤差テーブルを作成して記憶させる管理処理と
を実行させることを特徴とするプログラム。
【発明の詳細な説明】
【技術分野】
【０００１】
本願は、管理装置、管理方法、及び管理プログラムに関する。
【背景技術】
【０００２】
ＧＰＳ（Global Positioning System）で用いるクロック精度は受信感度に直結するため、高精度のクロックが必要である。クロックは、温度や経年変化等の環境変化によりばらつく、即ち誤差が生じることが知られており、この誤差を補正するための技術が提案されている（例えば、特許文献１）。
【０００３】
特許文献１の技術は、発振器の発振周波数の誤差を測定し、測定結果に基づいて電圧を制御して発振器を校正し、校正の度に発振器の温度に対応付けて電圧データを記憶する技術である。
【先行技術文献】
【特許文献】
【０００４】
【特許文献１】特開２００９−２２２４８６号公報
【発明の概要】
【発明が解決しようとする課題】
【０００５】
特許文献１の技術では、ＧＰＳによる測位動作を通して発振器のずれの誤差を測定していないため、精度的に問題があった。
【０００６】
そこで、本発明が解決しようとする課題は、発振周波数の誤差テーブルを高精度にすることにある。
【課題を解決するための手段】
【０００７】
上記課題を解決するための第１の発明は、管理装置であって、発振器の温度を測定する温度測定手段と、ＧＰＳ（Global Positioning System）による測位を行った後に、前記発振器の発振周波数の誤差を測定して、前記測定した温度と誤差とを対応付けた誤差テーブルを作成して記憶させる管理手段とを有することを特徴とする。
【０００８】
上記課題を解決するための第２の発明は、管理方法であって、発振器の温度を測定する温度測定ステップと、ＧＰＳ（Global Positioning System）による測位を行った後に、前記発振器の発振周波数の誤差を測定する誤差測定ステップと、前記測定した温度と誤差とを対応付けた誤差テーブルを作成して記憶させる管理ステップとを有することを特徴とする。
【０００９】
上記課題を解決するための第３の発明は、管理装置のプログラムであって、前記プログラムは前記管理装置に、発振器の温度を測定する温度測定処理と、ＧＰＳ（Global Positioning System）による測位を行った後に、前記発振器の発振周波数の誤差を測定する誤差測定処理と、前記測定した温度と誤差とを対応付けた誤差テーブルを作成して記憶させる管理処理とを実行させることを特徴とする。
【発明の効果】
【００１０】
本願発明によると、ＴＣＸＯの誤差テーブルを高精度化することがきる。
【図面の簡単な説明】
【００１１】
【図１】図１は、端末のブロック図である。
【図２】図２は、第１の実施の形態の動作を説明するためのフローである。
【図３】図３は、誤差テーブルの一例である。
【図４】図４は、情報の有無と、温度範囲とＴＣＸＯずれとの関係を説明するための図である。
【図５】図５は、ＡＦＣ電圧とＴＣＸＯずれとの関係を説明するための図である。
【図６】図６は、第２の実施の形態の動作を説明するためのフローである。
【図７】図７は、第３の実施の形態の動作を説明するためのフローである。
【図８】図８は、第４の実施の形態の動作を説明するためのフローである。
【発明を実施するための形態】
【００１２】
本発明の特徴を説明するために、以下において、図面を参照して具体的に述べる。
【００１３】
本発明は、ＧＰＳによる測位を実行する端末において、測位の際に用いるクロックのずれを補正するために、クロックのずれを温度毎に管理する技術に関する。尚、端末は、携帯端末やＰＣ（Personal Computer）等の電子装置である。
【００１４】
（第１の実施の形態）
本発明を実施するための第１の実施の形態について図面を参照して詳細に説明する。
【００１５】
図１に本発明の端末の構成図を示す。
【００１６】
端末は、アンテナ１０１、ＧＰＳ（Global Positioning System）部１０２、基準周波数発振器ＴＣＸＯ（Temperature compensated crystal oscillators）１０３、温度センサ１０４、加速度センサ１０５、地磁気センサ１０６、湿度センサ１０７、メモリ１０８、制御部２０１、表示部４０１、及び操作部４０２を有する。
【００１７】
アンテナ１０１は、各種データを送受信する。
【００１８】
ＧＰＳ部１０２は、ＧＰＳによる測位に必要となる情報をアンテナ１０１を介して受信して取得する。
【００１９】
基準周波数発振器ＴＣＸＯ１０３は、制御部２０１による制御の元、周波数を変化させてクロックを生成する。
【００２０】
温度センサ１０４は、基準周波数発振器ＴＣＸＯ１０３の温度を測定するデバイスである。温度の測定は、定期的に行っても、常時的に行っても良いが、以下の説明では定期的に行う場合を用いて説明する。
【００２１】
加速度センサ１０５は、端末の加速度を検出するデバイスである。
【００２２】
地磁気センサ１０６は、地磁気を検出するデバイスである。
【００２３】
湿度センサ１０７は、端末内の湿度を検出するデバイスである。
【００２４】
メモリ１０８には、図３に示すような誤差テーブルが記憶されている。
【００２５】
誤差テーブルには、温度範囲、情報の有無、測定温度、更新日時、ＴＣＸＯずれ、ＡＦＣ電圧、取得時間、及び他デバイス動作が対応付けられて記憶されている。
【００２６】
温度範囲は、基準周波数発振器ＴＣＸＯ１０３のずれを補正する際に、そのずれ量を適用させたい温度範囲である。温度範囲は管理者の任意によって定められる。
【００２７】
情報の有無は、今までに該温度範囲にてＴＣＸＯずれが測定されているかを示す情報である。情報の有無と温度範囲とＴＣＸＯずれの関係を図４に示す。尚、情報の有無の項目は必須でなくても良く、ＴＣＸＯずれに情報が入っているか否かによって判断しても良い。
【００２８】
測定温度は、ＴＣＸＯずれを測定した際に、温度センサ１０４が測定した温度である。
【００２９】
更新日時は、ＴＣＸＯずれの項目を更新した日時である。
【００３０】
ＴＣＸＯずれは、基準周波数発振器ＴＣＸＯ１０３のクロックのずれである。
【００３１】
ＡＦＣ電圧は、電圧値であり、ＴＣＸＯずれを解消するためにこの電圧値に基づいてＡＦＣ用の電圧を制御する。ＡＦＣ電圧とＴＣＸＯのずれの周波数との関係を図５に示す。図５に示されている通り、ＡＦＣ電圧とＴＣＸＯずれとは固有の値である。このようなＴＣＸＯの一般的な値(ppm/V)を使用してＡＦＣ電圧が決定され、誤差テーブルに記される。通常ずれがプラス側であればＡＦＣ電圧を低くし、マイナス側であればＡＦＣ電圧を高くすることでＴＣＸＯ周波数を調整する。
【００３２】
取得時間は、ＧＰＳに関する情報を取得するのにかかった時間である。
【００３３】
他デバイス動作は、ＴＣＸＯずれを測定した際に、他デバイスが動作していたか否かを示す情報である。
【００３４】
制御部２０１は、誤差テーブル管理部３０１、電源管理部３０２、メモリ制御部３０３、スケジュール管理部３０４を有する。
【００３５】
誤差テーブル管理部３０１は、誤差テーブルを用いて、ＡＦＣ（Automatic Frequency Control）を制御して、基準周波数発振器ＴＣＸＯ１０３の周波数を制御する。
【００３６】
電源管理部３０２は、各種デバイスの電源制御を行う。また、現在、各デバイスが動作中であるかを確認する。また、ＴＣＸＯのずれを測定する。尚、ＴＣＸＯのずれの測定方法は、どのような方法であっても良い。
【００３７】
メモリ制御部３０３は、メモリ１０８の誤差テーブルを作成したり更新したりする。
【００３８】
スケジュール管理部３０４ではユーザのスケジュールや、温度センサの定期的な測定のスケジュールを管理する。また、ＴＣＸＯずれの項目を更新した日時、ＧＰＳに関する情報を取得するのにかかった時間を計測する。ユーザのスケジュールとは、例えば、ユーザがＸ地点に移動の予定がある場合、２０１０年１０月１日Ｈ時Ｍ分Ｓ秒にＧＰＳ情報を取得することを登録しておき、その時刻になるとＧＰＳ情報の取得の処理を実行するものである。
【００３９】
表示部４０１は、各種表示情報を画面に表示させる制御を行う。
【００４０】
操作部４０２は、ユーザが端末を操作する際に用いられる。
【００４１】
続いて、第１の実施の形態の動作について、図２のフローチャートを参照して説明する。
【００４２】
温度センサ１０４は、定期的に温度を測定する（処理Ａ１）。
【００４３】
誤差テーブル管理部３０１は、測定した温度が属する温度範囲に対応付けられている情報有無の項目を図３に示すテーブルにて確認し、過去にＴＣＸＯずれが測定されているかを調べる（処理Ａ２）。
【００４４】
情報有無の項目が“有”を示している場合、誤差テーブル管理部３０１は更新日時の項目を確認し、更新日時から所定の時間（ａ）を経過しているかを調べる（処理Ａ３）。この処理により、経年変化によるＴＣＸＯずれの吸収が可能となる。尚、任意の値ａは、管理者によって適宜設定される。
【００４５】
処理Ａ２において、情報有無の項目が“無”を示している場合、又は更新日時から所定の時間を経過している場合、誤差テーブル管理部３０１は前回ＴＣＸＯずれを測定した際、他デバイスがＯＮ（動作中）であったかを、他デバイス動作の項目を確認する（処理Ａ４）。ここで他デバイスのＯＮ/ＯＦＦに応じて動作を変えるのは、ＧＰＳは非常に高感度であることから、ＴＣＸＯのずれがある場合、特に他のデバイスからの影響により感度が劣化することあるためである。前回取得時に他デバイスＯＦＦであった場合、同様の環境での測定を実施した方がＧＰＳ情報を取得できる可能性が高いため同様に他デバイスＯＦＦでの動作を実施する。結果、ＧＰＳ情報取得の確率が高くなるため無駄な電力削減にも役立つ。尚、前回取得時に他デバイスがＯＮであったかＯＦＦであったかの情報が無い場合、Ｙｅｓに進む。
【００４６】
処理Ａ４で、他デバイスがＯＮであったと判定された場合、誤差テーブル管理部３０１は、処理Ａ１で測定した温度が属する温度範囲に対応付けられているＴＣＸＯずれを誤差テーブルから検索してＡＦＣを制御することにより、基準周波数発振器ＴＣＸＯ１０３の周波数を制御する。そして、ＧＰＳ部１０２は、制御された周波数のクロックを用いて、ＧＰＳによる測位を開始する（処理Ａ５）。誤差テーブル管理部３０１によるＡＦＣの制御は、ＴＣＸＯずれがテーブルに記されている場合はその値を使用する。無い場合は、誤差テーブル管理部３０１は、管理者が設定した初期値を用いてＡＦＣを制御したり、ずれが無いものとして制御しなかったりというように、任意であってよい。
【００４７】
次に、ＧＰＳ部１０２がＧＰＳによる測位にあたり、ＧＰＳに関する情報を取得したかを誤差テーブル管理部３０１が確認する（処理Ａ６）。
【００４８】
処理Ａ６で、ＧＰＳ情報の取得に成功した場合、誤差テーブル管理部３０１はスケジュール管理部からＧＰＳ情報の取得に要した時間を受け取り、任意の値bより小さいかを誤差テーブル管理部３０１が判定する（処理Ａ７）。bより大きい場合は、ＴＣＸＯずれに起因して取得時間がかかった可能性があるため、処理Ａ１へ戻る。尚、任意の値bは、管理者によって適宜設定される。
【００４９】
処理Ａ７で、ｂより小さいと判定された場合、ＴＣＸＯずれが任意の値cより小さいか判定する（処理Ａ８）。通常、cは、ＴＣＸＯの温度ばらつきによるＴＣＸＯずれに対応した値を管理者が適宜設定するのが適当である。また、経年変化によるＴＣＸＯずれ量を考慮してもよい。
【００５０】
処理Ａ８で、ＴＣＸＯずれがcより大きいと判定された場合は、取得したＴＣＸＯずれが正しくない可能性が高いため、処理Ａ１へ戻る。
【００５１】
処理Ａ８で、ＴＣＸＯずれがcより小さいと判定された場合は、誤差テーブル管理部３０１は、ＧＰＳ情報を取得した時間、その際の温度情報、ＴＣＸＯずれ量、ＧＰＳ情報取得に要した時間、GPS情報を取得できた際の他デバイスの動作ＯＮ/ＯＦＦをメモリ１０８の誤差テーブルへ保存する（処理Ａ９）。そして、処理Ａ１に戻る。
【００５２】
処理Ａ４で、他デバイスがＯＦＦであった場合、電源管理部３０２が現在、他デバイスがＯＮであるかを確認する（処理Ａ１０）。
【００５３】
処理Ａ１０で他デバイスがＯＮである場合、または、処理Ａ６でＧＰＳ情報が取得できなかった場合、電源管理部３０２は他デバイスの動作を一時的に中止させる（処理Ａ１１）。一時的とは、処理Ａ１４が終了するまでである。また、他デバイスとは、例えば、加速度センサ１０５、地磁気センサ１０６、及び湿度センサ１０７等のＧＰＳによる測位において動作していなくても問題無いデバイスである。また、ここでは、強制的に他デバイスの動作を一時的に中止しているが、動作の終了を待ってもよい。尚、温度センサ１０４は、処理Ａ１２実行後停止してもよいし、処理Ａ１１とＡ１２との順序を逆にしても良い。
【００５４】
処理Ａ１０で他デバイスがＯＮでないと判定された場合、又は、処理Ａ６を実行後、温度センサ１０４は温度を測定する（処理Ａ１２）。この処理は、処理Ａ２から時間が経過しているため、温度が変化している可能性があるためである。
【００５５】
誤差テーブル管理部３０１は、処理Ａ１２で測定した温度が属する温度範囲に対応付けられているＴＣＸＯずれを誤差テーブルから検索してＡＦＣを制御することにより、基準周波数発振器ＴＣＸＯ１０３の周波数を制御する。そして、ＧＰＳ部１０２は、制御された周波数のクロックを用いて、ＧＰＳによる測位を開始する（処理Ａ１３）。誤差テーブル管理部３０１によるＡＦＣの制御は、ＴＣＸＯずれがテーブルに記されている場合はその値を使用する。無い場合は、誤差テーブル管理部３０１は、管理者が設定した初期値を用いてＡＦＣを制御したり、ずれが無いものとして制御しなかったりというように、任意であってよい。
【００５６】
次に、ＧＰＳ部１０２がＧＰＳによる測位にあたり、ＧＰＳに関する情報を取得したかを誤差テーブル管理部３０１が確認する（処理Ａ１４）。取得できなかった場合、処理Ａ１に戻る。取得できた場合、処理Ａ７に進む。
【００５７】
尚、上記動作において、ユーザ操作によりＧＰＳを起動してＧＰＳ情報が取得できた場合は、処理Ａ７以降を実施することでテーブル情報の更新を行うことが可能である。ＧＰＳ情報を取得する際は、処理Ａ５同様に、上記処理によって作成されたテーブルを用いて高精度化されたＴＣＸＯのずれを使用する。
【００５８】
また、上記動作において、他デバイス動作を停止した場合、及び他デバイス動作中の場合のどちらかでＧＰＳを用いて測位した場合、その後も同じ状態でＴＣＸＯのずれが測定される。これは、ＧＰＳは、非常に高感度であるので、他デバイスの影響により取得できない場合は、それ以降も取得できない可能性が高いためである。しかしながら、他デバイスを動作停止させた場合であっても、ＧＰＳの受信レベルが大きい場合は、ＧＰＳ情報が取得できる可能性がある。従って、前回取得時において他デバイスが停止であっても、処理Ａ４において、省電力を考慮して定期的に処理Ａ５に進むようにしても良い。
【００５９】
上記処理を実行することにより、ＴＣＸＯの精度の良い誤差テーブルを作成する事ができる。そのため、ＧＰＳ動作時には高精度のＴＣＸＯを使用することができる。
【００６０】
また、他デバイス動作を停止した場合、及び他デバイス動作中の場合のどちらかでＧＰＳを用いて測位した場合、その後も同じ状態でＴＣＸＯのずれが測定される。そのため、無駄なＧＰＳ動作を削減することで省電力にも有効となる。
【００６１】
また、他のデバイスがＴＣＸＯを使用する場合、上述のテーブルを用いた高精度化ＴＣＸＯを使用することで性能向上を見込むことができる。
【００６２】
（第２の実施の形態）
次に、第２の実施の形態について説明する。本実施の形態は、誤差テーブルの誤差の情報が記憶されていない温度に対して、近似する温度に対応付けられている誤差の情報を用いて誤差を算出する実施の形態である。尚、上記実施の形態と同様の構成については、同一番号を付し、詳細な説明は省略する。
【００６３】
誤差テーブル管理部３０１は、誤差テーブルの情報の有無において、“有”と“無”が隣接する温度範囲のＴＣＸＯずれの差が任意の値ｄより大きいか否かを判定する。例えば、図３に示した誤差テーブルの場合、範囲２と範囲３、範囲３と範囲４、範囲４と範囲５、及び範囲５と範囲６の情報の有無が“有”と“無”が隣接している。従って、範囲２と範囲３、範囲３と範囲４、範囲４と範囲５、及び範囲５と範囲６のＴＣＸＯずれの差が任意の値ｄより大きいか否かを判定する。尚、ｄは、ＴＣＸＯの温度ばらつきによるＴＣＸＯずれに対応した値を設定するのが適当である。あるいは、経年変化によるＴＣＸＯずれ量も考慮してもよい。
【００６４】
更に、誤差テーブル管理部３０１は、ＴＣＸＯずれが任意の値dより大きいと判定した場合、ＴＣＸＯずれの差が、d以下となるように補正する。例えば範囲４のように“有”に挟まれている場合、温度が低い方のＴＣＸＯずれ、即ち範囲３のＴＣＸＯずれと同じＴＣＸＯずれになるように補正する。あるいは、温度が高い方のＴＣＸＯずれになるように補正しても良い。また、温度が低い方のＴＣＸＯずれと温度が高い方のＴＣＸＯずれとの間の数値になるように補正しても良い。
【００６５】
本実施の形態の動作について説明する。第１の実施の形態と異なる点は、処理Ｂ１、Ｂ２を追加した点である。
【００６６】
処理Ａ１を実行する前に、誤差テーブルの情報の有無の項目において、“有”と“無”が隣接する温度範囲のＴＣＸＯずれの差が任意の値ｄより大きいかを判定する（処理Ｂ１）。ＮＯの場合、処理Ａ１に進む。
【００６７】
一方、Ｙｅｓの場合は、情報無しと情報有りとが隣接している温度範囲のＴＣＸＯずれの差が、d以下となるように補正する。
【００６８】
本実施の形態によると、ＴＣＸＯデータが取得できていない温度範囲のデータであっても、ある程度の精度を持った値に補正する事が可能となる。
【００６９】
（第３の実施の形態）
次に、第３の実施の形態について説明する。尚、上記実施の形態と同様の構成については、同一番号を付し、詳細な説明は省略して、第１の実施の形態又は第２の実施の形態と異なる構成及び動作について説明する。
【００７０】
ＧＰＳは、測位動作を開始する際に、ＧＰＳ網の情報（例えば軌道情報等の測位に必要なパラメータ情報）を持っている場合（ｗａｒｍ）と、持っていない場合（ｃｏｌｄ）とがあり、それぞれでＧＰＳ情報取得に要する時間は異なってくる。このことを踏まえて、誤差テーブル管理部３０１は、ｗａｒｍとｃｏｌｄとのそれぞれに応じた取得時間を判定する。また、誤差テーブルにｗａｒｍとｃｏｌｄとの各々については項目を追加して管理する。
【００７１】
本実施の形態の動作について説明する。第１又は第２の実施の形態と異なる点は、処理Ｃ１、Ｃ２を追加した点である。以下の説明では、第１の実施の形態に本実施の形態を適用させた場合の動作を用いて説明する。
【００７２】
処理Ａ６にてＧＰＳ情報を取得したと判定された場合、以下のいずれかの処理を行う。
【００７３】
ＧＰＳ網の情報を持っていない場合（Ｃｏｌｄ）には、その取得時間がｃｏｌｄに応じた取得時間より小さいかを判定する（処理Ｃ１）。
【００７４】
一方、ＧＰＳ網の情報を持っている場合（Ｗａｒｍ）には、その取得時間がＷａｒｍに応じた取得時間より小さいかを判定する（処理Ｃ２）。
【００７５】
本実施の形態によると、ｗａｒｍとｃｏｌｄとのそれぞれに応じた取得時間の判定を入れることで、よりＧＰＳ動作の確からしさを知る事ができる。その結果、誤差テーブルの信頼性も向上することとなる。
【００７６】
（第４の実施の形態）
次に、第４の実施の形態について説明する。尚、上記実施の形態と同様の構成については、同一番号を付し、詳細な説明は省略して、第１の実施の形態、第２の実施の形態、または第３の実施の形態と異なる構成及び動作について説明する。
【００７７】
処理Ａ５のＧＰＳ測位の前に、スケジュール管理部３０４が、前回のＧＰＳによる測位時から、測位環境に変化があったか否かを調査する。調査の結果、環境に変化が無かった場合、スケジュール管理部３０１は、ＧＰＳ部１０２にＧＰＳによる測位をしないように制御する。測位環境の変化とは、ＧＰＳによる測位の精度に影響を与える環境である。例えば、端末の移動、端末の向き、端末の湿度の変化、及びスケジュール管理部３０４が実行した各種端末の動作による端末の状態変化のうち、少なくとも１つである。端末の移動は加速度センサ１０５により検出し、端末の向きは地磁気センサ１０６により検出し、湿度の変化は湿度センサ１０４により検出し、スケジュール管理部３０４が実行した各種端末の動作による端末の状態変化はスケジュール管理部３０４が保持するスケジュールにより確認する。以下の説明では、第１の実施の形態に適用させた場合を用いて説明する。
【００７８】
加速度センサが端末の移動を検出しない場合（処理Ｄ１）、地磁気センサが端末の向きの変化を検出しない場合（処理Ｄ２）、湿度センサが湿度の変化を検出しない場合（処理Ｄ３）、スケジュール管理が各種動作の実行による端末の状態変化が無い場合（処理Ｄ４）は、ＧＰＳによる測位を行わず、処理Ａ４に進む。
【００７９】
本実施の形態よると、端末の環境が変化していない場合は、ＴＣＸＯずれも変化していない可能性が高いため、ＧＰＳによる測位を省略することで省電力化につながる。
【００８０】
尚、上述した本発明の端末は、上記説明からも明らかなように、ハードウェアで構成することも可能であるが、コンピュータプログラムにより実現することも可能である。プログラムメモリに格納されているプログラムで動作するプロセッサによって、上述した実施の形態と同様の機能、動作を実現させる。また、上述した実施の形態の一部の機能のみをコンピュータプログラムにより実現することも可能である。
【００８１】
上記本願によると、ＴＣＸＯの誤差テーブルを高精度化することがきるため、
・ＴＣＸＯの温度の変化による誤差のばらつきに対応することが可能
・ＴＣＸＯの経年変化による誤差のばらつきに対応することが可能
・ＴＣＸＯの環境変化による誤差のばらつきに対応することが可能
である。また、ＴＣＸＯの誤差テーブルの高精度化を計りつつ省電力化が可能となる。
【００８２】
以上、実施の形態をあげて本発明を説明したが、本発明は必ずしも上記実施の形態及び実施例に限定されるものではなく、その技術的思想の範囲内において様々に変形し実施することが出来る。
【符号の説明】
【００８３】
１０１      アンテナ
１０２      ＧＰＳ部
１０３      基準周波数発振器ＴＣＸＯ
１０４      温度センサ
１０５      加速度センサ
１０６      地磁気センサ
１０７      湿度センサ
１０８      メモリ
２０１      制御部２０１
４０１      表示部４０１
４０２      操作部
【図１】
2012058115.tif 000003
【図２】
2012058115.tif 000004
【図３】
2012058115.tif 000005
【図４】
2012058115.tif 000006
【図５】
2012058115.tif 000007
【図６】
2012058115.tif 000008
【図７】
2012058115.tif 000009
【図８】
2012058115.tif 000010